(57)【特許請求の範囲】
【請求項１】
番組の受信状況を監視し、予め指定された所定の番組を常時検索するウォッチモードと、
所定の番組が指定されたときに、受信可能な番組の中からこの指定された番組を検索するサーチモードと、
前記ウォッチモードおよびサーチモードによって検索された番組の受信を行う番組受信手段と、
前記ウォッチモードによる検索動作中に、前記サーチモードによる番組検索が行われて新たな番組が検出されたときに、前記ウォッチモードによる検索動作を中断し、新たな番組が検出されなかったときに、前記ウォッチモードによる検索動作を継続する検索制御手段とを備えることを特徴とする多重放送受信機。
【発明の詳細な説明】
【０００１】
【発明の属する技術分野】
本発明は、異なる周波数の搬送波のそれぞれに多重化された複数の番組の中からいずれかを選択する多重放送受信機に関する。
【０００２】
【従来の技術】
今日、デジタルオーディオは、その優れた特性と使いやすさから一般に認められ、急速に普及してきている。このような背景から、オーディオ放送のデジタル化の動きが活発になってきており、デジタルオーディオ放送ＤＡＢ（Digital Audio Broadcasting）が欧州で実用化されている。
【０００３】
このようなＤＡＢ用の受信機（ＤＡＢ受信機）は、通常のＶＨＦ／ＦＭ受信機に比べて構成がかなり複雑になるが、それを補って余りある多くの利点がある。例えば、移動する自動車の中でもＣＤ並みの音質が確保できる、多くの放送番組を受信できる、複数の言語で番組を放送できる、天候や交通情報を絶え間なく受信できる、音声や映像による広告を受信できるなどの利点がある。
【０００４】
現在のＤＡＢの各放送チャンネルは、テレビジョン放送の各チャンネルに割り当てられた受信周波数間の空き周波数が利用されており、全体で６４チャンネル分が用意されている。各放送チャンネルに対応した搬送波周波数群をアンサンブルといい、各アンサンブルには複数の放送番組（サービス）が多重化されている。
【０００５】
ところで、放送局から送られてくるＤＡＢの番組には、各種のニュースや音楽等からなる複数のサービスの他に、各サービスがサポートするアナウンスメントが含まれる。ＤＡＢ用に放送されるアナウンスメントには、緊急放送、道路交通情報、天気予報放送等があり、この中で緊急放送は全てのサービスによってサポートされている。各サービスを受信しているときに、緊急放送やその他の各サービスがサポートしているアナウンスメントを聞くことができる。
【０００６】
また、受信可能な複数のサービスの中から利用者が希望するものを検索する方法としては、「ウォッチモード」による検索と「サーチモード」による検索がある。ウォッチモードは、利用者によって予め特定のプログラムタイプＰＴｙが指定されると、それ以後のサービスの受信状況を監視し、そのプログラムタイプＰＴｙに対応したサービスが見つかるまで検索を行うものであり、指定されたサービス等が見つかったときに直ちにそのサービスを受信する。また、サーチモードは、利用者によってプログラムタイプＰＴｙが指定されると、この指定されたプログラムタイプＰＴｙに対応したサービスをその都度検索し、指定されたサービス等が見つかったときに直ちにそのサービス等に切り替わり、見つからなければ検索動作を終了する。また、各アナウンスメントの検索についても同様であり、「ウォッチモード」による検索と「サーチモード」による検索がある。
【０００７】
【発明が解決しようとする課題】
ところで、上述した従来のＤＡＢ受信機においてサーチモードによる検索とウォッチモードによる検索を併用する場合、あるいはウォッチモードによる検索を行う場合の番組の指定の仕方によっては、操作が煩雑になって操作性が悪いという問題がある。
【０００８】
例えば、ウォッチモードによってサービス１を検索中に、サーチモードでサービス２の検索を行い、サービス２を検出した場合を考えると、以前から行っていたウォッチモードによる検索動作はその後も利用者が解除動作を行わない限り有効である。したがって、その後サービス１が放送されると、ウォッチモードによる検索によってサービス１が検出され、サービス２からサービス１へ切り替わってしまい、せっかく検出したサービス２の音声を聴くことができなくなってしまう。このような不都合を防止するためには、サーチモードによる検索によってサービス２に切り替わったときに、利用者がウォッチモードの解除操作を行う必要があり、しかもこの解除操作を忘れた場合や、解除操作を行うまでの時間が長いと、その後にウォッチモードで検索したサービス１に切り替わってしまうこともあるため、その都度サービス２を受信するための切替操作が必要になって、操作が煩雑であり、操作性が悪かった。
【０００９】
また、ウォッチモードによるサービスやアナウンスメントの検索を行う場合に、予め指定されたプログラムタイプＰＴｙやアナウンスメントタイプに基づいてサービス等の検索が行われるが、プログラムタイプＰＴｙ等は概略的なサービスの分類を示しているだけであるため、例えばプログラムタイプＰＴｙによって「スポーツ」を指定して野球の実況中継を聴こうとした場合であっても、ウォッチモードで切り替わったサービスがテニスやマラソン等の実況中継である場合があった。このような場合に、利用者がウォッチモードによる検索を一旦解除してそれまで聞いていたサービスに切り替えるとともに、テニス等の実況中継が終了した後に再度「スポーツ」を特定してウォッチモードによる検索を実施することになるが、テニス等の実況中継が終了するタイミングが明確でない場合には、頻繁に受信サービスを手動で切り替えてこの実況中継が終了したか否かを監視する必要があり、しかもその後に実施したウォッチモードによる検索によっても野球の実況中継以外のサービスが検索されることがあるため、これらの一連の操作は非常に煩わしいものとなる。
【００１０】
本発明は、このような点に鑑みて創作されたものであり、その目的は、番組をを検索する際の操作性を向上させることができる多重放送受信機を提供することにある。
【００１１】
【課題を解決するための手段】
上述した課題を解決するために、本発明の多重放送受信機は、番組の受信状況を監視して予め指定された所定の番組を検索する例えばＤＡＢのウォッチモード検索に対応する第１の番組検索手段と、所定の番組が指定されたときに受信可能な番組の中からこの指定された番組を検索する例えばＤＡＢのサーチモード検索に対応する第２の番組検索手段とを有しており、第２の番組検索手段によって検索された番組を受信中に、第１の番組検索手段によって予め指定された所定の番組が検索されたときにその旨の通知を検索結果通知手段によって行っている。したがって、第２の番組検索手段によって検索した番組を受信中に、第１の番組検索手段による検索動作によって所定の番組が検出されても、直ちに受信番組を切り替えるのではなく、その前にその旨の通知が行われるため、利用者による適切な指示を行うことが可能であり、一律に番組が切り替わった後にその切替動作を解除する等の煩雑な手間がかからず、操作性を向上させることができる。
【００１２】
また、本発明の多重放送受信機は、上述した第１の番組検索手段により検索動作中に、上述した第２の番組検索手段による番組検索が行われて新たな番組が検出されたときに第１の番組検索手段による検索動作を中断し、新たな番組が検出されなかったときに第１の番組検索手段による検索動作を継続する。したがって、第２の番組検索手段による検索動作によって新たな番組が検出されたときに、自動的に第１の番組検索手段による検索動作が中断されるため、その後第１の番組検索手段の検索結果に応じて受信番組が切り替わってしまうことがなく、切り替わってしまった番組を元に戻す等の煩雑な操作が不要となって操作性を向上させることができる。なお、第２の番組検索手段によって所望の番組が検出されなかったときには、第１の番組検索手段による検索動作を特別な操作を行うことなく継続することができる。
【００１３】
また、本発明の多重放送受信機は、番組の受信状況を監視して予め指定された所定の番組を検索する例えばＤＡＢのウォッチモード検索に対応する第３の番組検索手段を有しており、この第３の番組検索手段による検索結果に基づいて行った番組受信動作を検索受信取消手段によって取り消した後に、第３の番組検索手段による検索によって同じ内容の番組を検出した場合に、この検索結果に基づく番組受信動作を制限している。したがって、第３の番組検索手段の検索結果に基づいて受信した実際の番組の内容が期待した内容と異なる場合に、同じ検索条件で同じ番組が受信することを防止することができ、その都度受信番組を解除する等の煩雑な操作が不要であり、操作性を向上させることができる。このような番組受信の制限は、第３の番組検索手段の検索対象となる番組の内容が更新されるまで行うことが好ましい。番組内容が更新された場合には、この番組を再び第３の番組検索手段による検索対象に含めるため、更新された番組の内容が期待する内容である場合に、特別な操作を行うことなく、速やかにその番組を検索して受信することができる。
【００１４】
また、上述した多重放送受信機がデジタルオーディオ放送用である場合には、各番組検索手段は、受信信号フレームの高速情報チャネルに含まれる情報に基づいて、その時点で受信可能な番組に検索対象となる番組が含まれているか否かを判定することが好ましい。この高速情報チャネルには、各搬送波に含まれる番組の構成情報等が含まれているため、検索対象の番組が現在受信可能であるか否かの判断を行うことが可能となる。
【００１５】
【発明の実施の形態】
本発明の多重放送受信機を適用した一実施形態のＤＡＢ受信機は、サーチモードによる検索処理とウォッチモードによる検索処理を併用する場合に、サーチモードの検索によって所定の番組が検出され、この番組を受信中にウォッチモードの検索によって別の番組が検出された場合には、直ちにその番組を受信する動作に移行せずにその旨の表示を行うことに特徴がある。なお、上述した番組にはＤＡＢのサービスとアナウンスメントの両方が含まれる。以下、本発明を適用した一実施形態のＤＡＢ受信機について、図面を参照しながら説明する。
【００１６】
図１は、本発明を適用した一実施形態のＤＡＢ受信機の構成を示す図である。同図に示すＤＡＢ受信機１は、アンテナ２、フロントエンド部（Ｆ／Ｅ）４、ＤＡＢデコード部６、オーディオデコード部８、デジタル−アナログ変換器（Ｄ／Ａ変換器）１０、アンプ１２、スピーカ１４、制御部１６、操作部２０、表示部２２を含んで構成されている。
【００１７】
フロントエンド部４は、アンテナ２を介して受信した信号の中から所望の受信周波数（同調周波数）成分を抽出するとともに、この抽出した信号に対して周波数変換を行った中間周波数信号を出力する。ＤＡＢデコード部６は、フロントエンド部４から出力される中間周波信号に対して、直交復調処理、ＦＦＴ（高速フーリエ変換）復調処理、復号処理を行って、インタリーブされた送信データを復調し、さらにこのインタリーブを解いて元のデータ列に戻した後に誤り検出訂正処理を行って、多重化された放送番組のシンボル位置を示す各アンサンブルのサービスリスト等を含む高速情報チャネルＦＩＣや復号データ（ＭＰＥＧオーディオデータ）からなるデータフレームを出力する。
【００１８】
オーディオデコード部８は、ＤＡＢデコード部６から出力される復号データ（ＭＰＥＧオーディオデータ）を元に戻す伸長処理を行い、伸長したＰＣＭオーディオデータを出力する。Ｄ／Ａ変換器１０は、オーディオデコード部８から出力されたＰＣＭオーディオデータをアナログ信号に変換して出力する。このアナログの音声信号は、アンプ１２によって増幅されて、スピーカ１４から出力される。
【００１９】
制御部１６は、フロントエンド部４による周波数同調制御やＤＡＢデコード部６に対する番組指定を行うことによりＤＡＢ受信機１の全体を制御する。また、制御部１６は、ウォッチモードあるいはサーチモードによる番組の検索処理を行う。操作部２０は、利用者からの番組切替指示等の各種の操作指示を入力するための各種操作キーを備えており、利用者による操作キーの操作状況を制御部１６に送る。表示部２２は、現在受信している番組に付された名称を表示したり、利用者による操作部２０の操作状況を表示する。
【００２０】
上述した制御部１６が第１、第２、第３の番組検索手段、検索制御手段、検索受信取消手段、番組受信制限手段のそれぞれに、フロントエンド部４、ＤＡＢデコード部６、オーディオデコード部８および制御部１６が番組受信手段に、表示部２２が検索結果通知手段に対応している。
【００２１】
図２は、ＤＡＢ受信機１において採用されるモードＩＩのフレーム構造を示す図である。１フレーム長は、２４ｍｓであり、２シンボルの同期信号ＳＹＮＣと、３シンボルの高速情報チャネルＦＩＣと、７２シンボルのデータフィールドＤＦＬで構成されている。同期信号ＳＹＮＣは、フレームの開始点を認識するために使用するヌルシンボルと位相基準シンボルＰＲＳを含んでいる。
【００２２】
高速情報チャネルＦＩＣは、３つの高速情報ブロックＦＩＢから構成されている。また、データフィールドＤＦＬは７２個のデータフィールドに区分され、それぞれのデータフィールドに所定のサービス、アナウンスメントの放送信号が挿入されており、１つの放送波から同時に複数のサービスを受信できるようになっている。どのデータフィールドにどのサービスが対応するかは、高速情報チャネルＦＩＣに含まれるサービスリストデータで指定される。
【００２３】
高速情報ブロックＦＩＢは、複数の高速情報グループＦＩＧから構成されている。各高速情報グループＦＩＧは、ＦＩＧヘッダとＦＩＧデータフィールドから構成されている。ＦＩＧヘッダは、ＦＩＧデータフィールドに含まれるデータのタイプを示す「ＦＩＧタイプ」と、ＦＩＧデータフィールドのバイト長を示す「長さ」とからなっている。また、ＦＩＧデータフィールドの先頭の１バイトは、ＦＩＧタイプ毎に異なる内容を有しており、その一部にエクステンションが含まれている。
【００２４】
例えば、タイプ０フィールドの場合には、ＦＩＧデータフィールドの先頭１バイトには、上位から順に、Ｃ／Ｎ（Current/Next）フラグ、ＯＥ（Other Ensemble）フラグ、Ｐ／Ｄフラグ、エクステンションが含まれている。ＦＩＧタイプとエクステンションとによって、ＦＩＧデータフィールドに含まれる詳細なデータの内容が規定される。以下では、例えばＦＩＧタイプ０フィールドのエクステンション１７に対応したデータフィールドをＦＩＧ（０／１７）と表すこととする。
【００２５】
ＦＩＧデータフィールドの先頭の１バイトを除く領域には、ＦＩＧタイプとエクステンションによって特定される各種のデータが含まれており、このデータを読み出すことにより、各種の受信制御を行うことができる。例えば、ＦＩＧ（０／５）には使用している言語コードが、ＦＩＧ（１／０）とＦＩＧ（１／１）には番組受信中に表示部２２に表示する各アンサンブル名やサービス名に対応したテキストデータが含まれている。
【００２６】
以下に、本実施形態における受信動作に必要な高速情報データグループＦＩＧについて説明する。アンサンブル内のサービスリストに関するＦＩＧ（０／２）は、アンサンブル識別ＥＩｄと、着目しているアンサンブルに含まれるサービスを識別するサービス識別ＳＩｄとを含んで構成されている。これらのアンサンブル内のサービスリストに関するＦＩＧ（０／２）を解析することによって、例えば、現在受信中のアンサンブルに含まれる各サービスのサービス識別ＳＩｄを知ることができる。また、サブチャンネルに関するＦＩＧ（０／１）を解析することによって、そのサービスを受信するためのデータを検出することができる。
【００２７】
プログラムタイプ（ＰＴｙ）に関するＦＩＧ（０／１７）は、サービス識別ＳＩｄ、Ｉｎｔ（International ）コード、コース（Coarse）コード、ファイン（Fine）コードを含んで構成されている。サービス識別ＳＩｄは、個々のサービスに対して付与される識別子である。また、Ｉｎｔコードは、「ニュース」や「スポーツ」等の基本的なプログラムタイプのカテゴリを示すものである。通常は、このＩｎｔコードのみが放送局から送られてくるが、さらに詳細な分類を示すコースコードやファインコードが送られてくる場合もある。
【００２８】
現在受信中のアンサンブルについてのアナウンスメントサポートに関するＦＩＧ（０／１８）は、アナウンスメントサポート（Ａｓｕ）フラグ、クラスタ数（Number of clusters）、クラスタ（Cluster ）Ｉｄを含んで構成されている。Ａｓｕフラグは、先頭のサービス識別ＳＩｄで特定されるサービスがサポートしているアナウンスメントタイプを示すフラグである。アナウンスメントタイプとしては、緊急放送、道路交通情報放送、ニュース放送、天気予報放送等がある。また、クラスタ数は、続くクラスタＩｄの数を示しており、最大２３となっている。クラスタＩｄは、サービス識別ＳＩｄで示されるサービスがサポートしているアナウンスメントのグループ（アナウンスメントクラスタ）を識別するための識別子ある。
【００２９】
現在受信中のアンサンブルについてのアナウンスメントスイッチングに関するＦＩＧ（０／１９）は、クラスタＩｄ、アナウンスメントスイッチング（Ａｓｗ）フラグ、ニューフラグ（New flag）、リージョンフラグ（Region flag ）、サブチャンネル識別（SubChId ）を含んで構成されている。Ａｓｗフラグは、各クラスタＩｄで示されるアナウンスメントクラスタの放送状態を示すものである。そのクラスタＩｄに属しているアナウンスメントが放送されている場合には、Ａｓｗフラグのうち、放送中のアナウンスメントタイプに対応するビットが“１”にセットされ、アナウンスメントが放送されていない場合にはそのクラスタＩｄに対応するＡｓｗフラグが全て“０”にクリアされる。ニューフラグは、着目しているアナウンスメントが初めて送信されたもの（フラグは“１”）か、以前に放送されたものが再送されたもの（フラグは“０”）かを示すフラグである。
【００３０】
アナウンスメントサポートに関するＦＩＧ（０／１８）およびアナウンスメントスイッチングに関するＦＩＧ（０／１９）を解析することによって、各サービスがサポートしているアナウンスメントを知ることができ、さらに、そのアナウンスメントが放送中であるか否か、放送中であれば、再送されたものであるか否かを知ることができる。
【００３１】
サービスとアンサンブルの周波数インフォメーションに関するＦＩＧ（０／２１）は、各サービスのサービス識別ＳＩｄと、着目しているサービスを受信することができるアンサンブルの受信周波数とを含んで構成されている。このＦＩＧ（０／２１）を解析することによって、あるサービスを受信可能なアンサンブルの受信周波数を知ることができる。
【００３２】
現在受信中でないアンサンブルについてのサービスに関するＦＩＧ（０／２４）は、サービス識別ＳＩｄ、アンサンブル数、アンサンブル識別ＥＩｄを含んで構成されている。このＦＩＧ（０／２４）を解析することによって、あるサービスを受信可能なアンサンブルのアンサンブル識別ＥＩｄを知ることができる。
【００３３】
現在受信中でないアンサンブルについてのアナウンスメントサポートに関するＦＩＧ（０／２５）は、アナウンスメントサポート（Ａｓｕ）フラグ、アンサンブル識別ＥＩｄを含んで構成されている。Ａｓｕフラグは、先頭のサービス識別ＳＩｄで特定されるサービス（現在受信中でないアンサンブルのサービス）がサポートしているアナウンスメントタイプを示すフラグである。また、アンサンブル識別ＥＩｄには、着目しているアナウンスメントを受信することができるアンサンブルに対応した識別符号が設定されている。
【００３４】
現在受信中でないアンサンブルについてのアナウンススイッチングに関するＦＩＧ（０／２６）は、アナウンスメントスイッチング（Ａｓｗ）フラグ、ニューフラグ、リージョンフラグ、アンサンブル識別ＥＩｄ等を含んで構成されている。アンサンブル識別ＥＩｄには、着目しているアナウンスメントを現在受信することが可能なアンサンブルに対応した識別符号が設定されている。
【００３５】
本実施形態のＤＡＢ受信機１はこのような構成を有しており、次にその動作を説明する。▲１▼ウォッチモードによる検索中にサーチモードによる検索を行って新たな番組を受信し、さらにウォッチモードによる検索を継続する場合、▲２▼ウォッチモードによる検索中にサーチモードによる検索を行った際に、先に指示したウォッチモードの検索指示を自動的に取り消す場合、▲３▼ウォッチモードによる検索によって検出された番組が期待する内容と異なるときに、その受信動作を取り消した後にウォッチモードによる検索を継続する場合のそれぞれについて、場合を分けて説明する。
【００３６】
▲１▼ウォッチモードによる検索中にサーチモードによる検索を行って新たな番組を受信し、さらにウォッチモードによる検索を継続する場合の動作手順
図３は、本実施形態のＤＡＢ受信機１においてウォッチモードによる検索とサーチモードによる検索とを併用した場合の動作手順を示す流れ図である。なお、現在いずれかのサービスが受信されているものとする。制御部１６は、利用者によって操作部２０が操作されて、例えばニュースや天気予報といった検索対象のサービスが指定されて、その後「ウォッチモード」キーまたは「サーチモード」キーが押下されて、いずれかの検索が指示されたか否かを監視している（ステップ１０１、１０２）。
【００３７】
このような検索指示の監視状態において、利用者によって「サーチモード」キーが押下された場合には、制御部１６は、サーチモードによる検索動作を開始し（ステップ１１１）、検索の対象となっているサービスが検出されたか否かを判定する（ステップ１１２）。上述したように、プログラムタイプに関するＦＩＧ（０／１７）には、各サービスの種別を表すＩｎｔコードが含まれており、このＩｎｔコードを用いることにより、各サービスが検索対象のサービスに一致するか否かを調べることができる。検索対象となっているサービスが検出されると、次に制御部１６は、現在受信しているサービスをこの検出されたサービスに切り替える（ステップ１１３）。
【００３８】
このサービス切り替えは、以下のようにして行われる。まず、制御部１６は、プログラムタイプに関するＦＩＧ（０／１７）を参照することにより、サーチモードの検索によって検出されたサービスのサービス識別ＳＩｄを取得し、さらに、アンサンブル内のサービスに関するＦＩＧ（０／２）を解析して、検索によって検出されたサービスが現在受信中のアンサンブルに含まれるか否かを判定する。現在受信中のアンサンブルに含まれている場合は、制御部１６は、ＤＡＢデコード部６に対してこのサービスを受信するための情報を出力し、ＤＡＢデコード部６ではその情報に対応するサービスのＭＰＥＧオーディオデータをオーディオデコード部８に入力する。このＭＰＥＧオーディオデータは、オーディオデコード部８によってＰＣＭオーディオデータに変換され、さらにＤ／Ａ変換器１０によってアナログ信号に変換されて、スピーカ１４から出力される。
【００３９】
一方、検索によって検出されたサービスが現在受信中のアンサンブルに含まれていない場合は、制御部１６は、サービスとアンサンブルの周波数インフォメーションに関するＦＩＧ（０／２１）および現在受信中でないアンサンブルについてのサービスに関するＦＩＧ（０／２４）を解析して、このサービスに対応する搬送波周波数を抽出し、フロントエンド部４に受信周波数切り替えの指示を出す。フロントエンド部４は、この指示に従って受信周波数を切り替えて、ＤＡＢデコード部６に中間周波信号を入力する。ＤＡＢデコード部６は、この中間周波信号に対して所定の処理を行い、ＦＩＣや復号データ（ＭＰＥＧオーディオデータ）からなるデータフレームを出力する。以後、現在受信中のアンサンブルに検索によって検出されたサービスが含まれている場合と同様にして、該当するサービスのＭＰＥＧオーディオデータが抽出され、ＰＣＭオーディオデータに変換された後、Ｄ／Ａ変換器によってアナログ信号に変換されてスピーカ１４から出力される。
【００４０】
このようにしてサービスの切り替えが終了すると、あるいは検索対象となっているサービスが検出されない場合には、上述した検索指示の監視状態（ステップ１０１、１０２）に戻る。なお、上述した検索により検出されるサービスの有無の判定動作（ステップ１１２）とサービスの切り替え動作（ステップ１１３）は、ウォッチモードの検索を行った際の各動作（後述するステップ１２２、１２３、１２８、１３０、１３２）と共通している。
【００４１】
上述した検索指示の監視状態において、利用者によって「ウォッチモード」キーが押下された場合には、制御部１６は、ウォッチモードによる検索動作を開始し（ステップ１２１）、検索の対象となっているサービスが検出されたか否かを判定する（ステップ１２２）。そして、検索対象となっているサービスが検出されると、次に制御部１６は、現在受信しているサービスをこの検出されたサービスに切り替えた後に（ステップ１２３）、ウォッチモードによる検索動作を終了して（ステップ１２４）、上述した検索指示の監視状態（ステップ１０１、１０２）に戻る。
【００４２】
また、上述したステップ１２１で開始したウォッチモードによる検索動作において、検索対象となっているサービスが検出されない場合には、次に制御部１６は、ウォッチモードによる検索動作を継続しながらサーチモードによる検索が指示されたか否かを判定する（ステップ１２５）。利用者によって新たなサーチモードによる検索が指示されない場合には、上述したステップ１２２に戻ってウォッチモードによる検索が続行される。
【００４３】
また、このウォッチモードによる検索が継続中に、利用者によって操作部２０の「サーチモード」キーが押下されてサーチモード検索が指示されると、次に制御部１６は、継続中であるウォッチモードによる検索動作を中断した後（ステップ１２６）、サーチモードの検索を開始する（ステップ１２７）。この検索動作において検索対象となっているサービスが検出されなかった場合には、ウォッチモードによる検索が再開され（ステップ１２８、１２９）、その後上述したステップ１２２に戻ってウォッチモードによる検索が継続される。
【００４４】
一方、この検索動作において検索対象となっているサービスが検出された場合には、現在受信しているサービスをこの検出されたサービスに切り替えた後に（ステップ１２８、１３０）、ウォッチモードによる検索が再開される（ステップ１３１）。その後、制御部１６は、ウォッチモードの検索対象となっているサービスを検出したか否かを判定し（ステップ１３２）、検出しない場合には、このウォッチモードによる検索を継続しながら、サーチモードによる検索が指示されたか否かを判定する（ステップ１３３）。利用者によって新たなサーチモードによる検索が指示された場合には、上述したステップ１２６に戻って、ウォッチモードによる検索を中断した後にサーチモードによる検索が行われる。
【００４５】
また、利用者によって新たなサーチモードによる検索が指示されない場合には、ステップ１３２に戻ってウォッチモードによる検索が継続される。このウォッチモードによる検索によって、検索対象となっているサービスが検出されると、次に制御部１６は、直ちに受信サービスの切り替えを行う代わりに、検索対象となっているサービスが検出された旨の表示を表示部２２に行う（ステップ１３４）。この表示は、例えば所定時間行われる。次に、制御部１６は、操作部２０を監視して、利用者によってサービスの切替指示がなされたか否かを判定する（ステップ１３５）。ウォッチモードによる検索によって所望のサービスが検出された旨の表示を見た利用者によって操作部２０が操作されて、サービスの切り替えが指示された場合には、上述したステップ１２３に戻って、ウォッチモード検索により検出されたサービスへの切り替えが行われた後、ウォッチモード検索が終了する。また、ウォッチモードによる検索によって所望のサービスが検出された旨の表示を見た利用者によって、サービスの切替指示がなされなかった場合には、ウォッチモードによる検索が継続される。
【００４６】
このように、ウォッチモードによる検索中にサーチモードによる検索を行って所望のサービスを検出し、受信サービスを切り替えた後に、継続中のウォッチモード検索によって検索対象となっている別のサービスを検出した場合に、直ちにサービス切り替えを行うのではなく、別のサービスを検出した旨の表示が行われる。したがって、この表示を見た利用者は、サーチモード検索によって既に検出されているサービスの受信を継続するか、ウォッチモード検索によって新たに検出されたサービスを受信するのかを選択することができ、サーチモード検索を行ったときにウォッチモード検索を中止したり、ウォッチモード検索によって検出されて切り替わってしまったサービスを、サーチモード検索によって検出されたサービスに戻す等の煩雑な操作が不要であり、ＤＡＢ受信機１においてサーチモード検索とウォッチモード検索を併用する際の操作性を向上させることができる。
【００４７】
▲２▼ウォッチモードによる検索中にサーチモードによる検索を行った際に、先に指示したウォッチモードの検索指示を自動的に取り消す場合の動作手順
上述した実施形態の動作手順では、ウォッチモードによる検索を実行中にサーチモードによる検索を行った際に、サーチモード検索による所望のサービスの検出の有無にかかわらず、ウォッチモードによる検索を再開するようにしたが、サーチモード検索によって所望のサービスが検出された場合には、ウォッチモードによる検索を解除するようにしてもよい。
【００４８】
図４は、本実施形態のＤＡＢ受信機１によるウォッチモードによる検索とサーチモードによる検索とを併用した場合の動作手順の変形例を示す流れ図である。なお、同図に示すステップ１０１〜１２７の動作手順は、図３に示したステップ１０１〜１２７の動作手順と共通しており、以下では、ウォッチモードによる検索動作が継続中にサーチモードによる検索が指示されて、サーチモードによる検索が開始された場合のステップ１２７の次の動作から説明する。
【００４９】
サーチモード検索が開始されると、次に制御部１６は、検索の対象となっているサービスが検出されたか否かを判定し（ステップ２０１）、検出されたなった場合には、ウォッチモードによる検索を再開する（ステップ２０２）。その後、ステップ１２２に戻ってウォッチモードによる検索が継続される。
【００５０】
一方、このサーチモードによる検索動作において、検索となっているサービスが検出された場合には、制御部１６は、ステップ１２６において中断したウォッチモードによる検索動作を終了させた後に（ステップ２０３）、検索によって検出されたサービスに切り替える（ステップ２０４）。その後、検索指示の監視状態に戻る（ステップ１０１、１０２）。
【００５１】
このように、ウォッチモードによる検索中にサーチモードによる検索が指示されると、サーチモード検索によって所望のサービスが検出された場合には、それまで行っていたウォッチモードによる検索を終了させて受信サービスの切り替えを行い、所望のサービスが検出されなかった場合には、それまで行っていたウォッチモードによる検索を継続して行う。したがって、サーチモード検索によって検出されたサービスを新たに受信した際に、その都度ウォッチモード検索を解除する等の手間を低減でき、ＤＡＢ受信機１においてサーチモード検索とウォッチモード検索を併用する際の操作性を向上させることができる。
【００５２】
▲３▼ウォッチモードによる検索によって検出された番組が期待する内容と異なるときに、その受信動作を取り消した後にウォッチモードによる検索を継続する場合の動作手順
図５は、本実施形態のＤＡＢ受信機１においてウォッチモード検索で検出されたアナウンスメントの受信を取り消した場合の動作手順を示す流れ図である。なお、現在いずれかのサービスあるいはアナウンスメントが受信されており、この受信動作と並行してウォッチモードによる所望のアナウンスメントの検索動作が開始されるものとする。
【００５３】
制御部１６は、利用者によって操作部２０が操作されて、例えば道路交通情報や天気予報放送といった検索対象のアナウンスメントが指定されて、その後「ウォッチモード」キーが押下されて、ウォッチモード検索が指示されたか否かを監視しており（ステップ３０１）、「ウォッチモード」キーが押下されると、ウォッチモードによる検索を開始する（ステップ３０２）。
【００５４】
次に、制御部１６は、検索対象となっているアナウンスメントが検出されたか否かを判定する（ステップ３０３）。上述したように、アナウンスメントサポートに関するＦＩＧ（０／１８）およびＦＩＧ（０／２５）には、各アナウンスメントタイプを示すＡｓｕフラグが含まれており、このＡｓｕフラグを用いることにより、各アナウンスメントが検索対象のアナウンスメントに一致するか否かを調べることができる。この検索対象となるアナウンスメントの検索動作は、所望のアナウンスメントが検出されるまで繰り返される。
【００５５】
検索対象となっているアナウンスメントが検出されると、次に制御部１６は、アナウンスメントスイッチングに関するＦＩＧ（０／１９）およびＦＩＧ（０／２６）を解析して、検出されたアナウンスメントが現在放送中であるか否かを判定する（ステップ３０４）。現在放送中である場合には、そのアナウンスメントに切り替えられて、対応する音声が出力される（ステップ３０５）。
【００５６】
具体的には、検索対象となるＡｓｗフラグを有するアナウンスメントが現在受信中のアンサンブルについてのアナウンスメントスイッチングに関するＦＩＧ（０／１９）から検出された場合は、制御部１６は、そのアナウンスメントを受信するための情報をＤＡＢデコード部６に出力する。ＤＡＢデコード部６は、この出力された情報に対応するアナウンスメントのＭＰＥＧオーディオデータを抽出してオーディオデコード部８に入力する。このＭＰＥＧオーディオデータは、オーディオデコード部８によってＰＣＭオーディオデータに変換され、さらにＤ／Ａ変換器１０によってアナログ信号に変換されて、スピーカ１４から出力される。
【００５７】
また、検索対象となるＡｓｗフラグを有するアナウンスメントが現在受信中でないアンサンブルについてのアナウンスメントスイッチングに関するＦＩＧ（０／２６）から検出された場合は、制御部１６は、そのアナウンスメントを放送しているアンサンブルのアンサンブル識別ＥＩｄと、そのアンサンブルでのクラスタＩｄを検出し、サービスとアンサンブルの周波数インフォメーションに関するＦＩＧ（０／２１）を解析して、切り替え先のアナウンスメントに対応する搬送波周波数を求め、フロントエンド部４に受信周波数切り替えの指示を出す。フロントエンド部４は、この指示に従い、対応する周波数に切り替えて、ＤＡＢデコード部６に中間周波信号を入力する。ＤＡＢデコード部６は、この中間周波信号に対して所定の処理を行い、ＦＩＣや復号データ（ＭＰＥＧオーディオデータ）からなるデータフレームを出力する。次に、制御部１６は、検出されたクラスタＩｄに対応する現在受信中のアンサンブルについてのアナウンスメントスイッチングに関するＦＩＧ（０／１９）を解析して、ＤＡＢデコード部６に対して検出されたクラスタＩｄに対応するアナウンスメントを受信するための情報を出力する。ＤＡＢデコード部６は、この出力された情報に対応するアナウンスメントのＭＰＥＧオーディオデータを抽出してオーディオデコード部８に入力する。このＭＰＥＧオーディオデータは、オーディオデコード部８によってＰＣＭオーディオデータに変換され、さらにＤ／Ａ変換器１０によってアナログ信号に変換されて、スピーカ１４から出力される。なお、検出されたアナウンスメントが現在放送中でなかった場合（ステップ３０４の否定判断）には、ステップ３０３に戻って、検索対象となるアナウンスメントの検索動作が継続される。
【００５８】
次に、制御部１６は、利用者によって操作部２０が操作されて、出力されているアナウンスメントの受信動作がキャンセルされたか否かを判定する（ステップ３０６）。キャンセルされずに出力が終了した場合は、制御部１６は、アンサンブル内のサービスに関するＦＩＧ（０／２）やアナウンスメントスイッチングに関するＦＩＧ（０／１９）およびＦＩＧ（０／２６）を解析して、出力中のアナウンスメントに対応するアンサンブル識別ＥＩｄ、サービス識別ＳＩｄ、クラスタＩｄを内部メモリに格納した後（ステップ３０７）、ステップ３０１に戻ってウォッチモードによる検索指示の監視を行う。
【００５９】
また、出力されているアナウンスメントの受信動作がキャンセルされた場合は、制御部１６は、ウォッチモード検索により検出されたアナウンスメントに切り替わる前に受信していたサービスやアナウンスメントに戻して、これらの音声をスピーカ１４から出力する（ステップ３０８）。例えば、ウォッチモード検索により検出されたアナウンスメントに切り替わる前に別のアナウンスメントを受信していた場合には、制御部１６は、内部メモリに格納されているアンサンブル識別ＥＩｄ、サービス識別ＳＩｄ、クラスタＩｄに基づいて、この切り替え前のアナウンスメントを再度受信する。
【００６０】
次に、制御部１６は、ウォッチモードによる検索を再開する（ステップ３０９）。ウォッチモード検索によって所望のサービスが検出されたか否かの判定（ステップ３１０）、および検出されたアナウンスメントが現在放送中か否かの判定（ステップ３１１）は、上述したステップ３０３およびステップ３０４と同様にして行われるが、検出されたアナウンスメントが現在放送中である場合には、制御部１６は、アナウンスメントスイッチングに関するＦＩＧ（０／１９）およびＦＩＧ（０／２６）のニューフラグを解析して、このニューフラグが“１”であるか否か、すなわち検出されたアナウンスメントが更新された新しいものであるか否かを判定する（ステップ３１２）。更新された新しいアナウンスメントであった場合には、制御部１６は、そのアナウンスメントに切り替えて、スピーカ１４からその音声を出力し（ステップ３１３）、このアナウンスメントに対応するアンサンブル識別ＥＩｄ、サービス識別ＳＩｄ、クラスタＩｄを内部メモリに格納した後（ステップ３１４）、ステップ３０１に戻ってウォッチモードによる検索指示の監視を行う。
【００６１】
このように、ウォッチモード検索によって検出されたアナウンスメントの受信がキャンセルされると、再び同じ内容のアナウンスメントが検出されても、この検出されたアナウンスメントに切り替えることなくウォッチモードによる検索が継続される。したがって、検索したアナウンスメントの内容が利用者が期待した内容と異なる場合に、その都度同じアナウンスメントの受信をキャンセルする煩雑な操作を行わずに済むため、ＤＡＢ受信機１においてウォッチモード検索を行う場合の操作性を向上させることができる。
【００６２】
なお、本発明は、上記実施形態に限定されるものではなく、本発明の要旨内で種々の変形実施が可能である。例えば、上述した実施形態における▲１▼および▲２▼の動作では、サービスを検索する場合について説明したが、アナウンスメントを検索する場合についても同様である。アナウンスメントを検索する場合は、サーチモードあるいはウォッチモードによる検索において、アナウンスメントサポートに関するＦＩＧ（０／１８）およびＦＩＧ（０／２５）やアナウンスメントスイッチングに関するＦＩＧ（０／１９）およびＦＩＧ（０／２６）に含まれるＡｓｕフラグやＡｓｗフラグを解析することによって、検索対象となっているアナウンスメントの検索を行うことができる。
【００６３】
また、上述した実施形態における▲３▼の動作では、アナウンスメントをウォッチモードで検索する場合について説明したが、サービスを検索する場合も同様であり、受信をキャンセルされたサービスをウォッチモードの検出の対象から除外することができる。サービスを検索する場合には、制御部１６は、アンサンブル内のサービスに関するＦＩＧ（０／２）やプログラムタイプに関するＦＩＧ（０／１７）を解析して、アンサンブル識別ＥＩｄやサービス識別ＳＩｄを内部メモリに格納する。また、サービスが更新されたか否かについては、プログラムタイプに関するＦＩＧ（０／１７）に含まれているＩｎｔコード（あるいはコースコードやファインコード）が更新されたか否かを解析することによって判定することができる。
【００６４】
また、上述した実施形態における▲１▼の動作では、ウォッチモードの検索対象となっているサービスを検出して切り替えた後（ステップ１２３）にウォッチモードによる検索動作を終了し（ステップ１２４）、次に指示があるまで動作を停止するものとしたが、サービスを切り替えた後もウォッチモードに検索動作を継続し、それまでに検出したサービスが終了した場合には、元のサービスを再び受信し、検索動作を継続するようにしてもよい。
【００６５】
また、上述した実施形態における▲１▼の動作では、サーチモード検索により検出されたサービスに切り替えた後に、ウォッチモード検索により所望のサービスを検出したときにその旨を表示部２２に表示するようにしたが、その旨を表示する代わりにスピーカ１４から音声で知らせるようにしてもよく、利用者に通知する手段については表示する場合に限定されない。
【００６６】
【発明の効果】
上述したように、本発明によれば、サーチモードに対応する第２の番組検索手段によって検索された番組を受信中に、ウォッチモードに対応する第１の番組検索手段によって予め指定された所定の番組が検索されたときに、その旨の表示を検索結果通知手段によって行っており、第１の番組検索手段による検索動作によって所定の番組が検出されても直ちに受信番組を切り替えるのではなく、その前にその旨の通知が行われるため、利用者による適切な指示を行うことが可能であり、一律に番組が切り替わった後にその切替動作を解除する等の煩雑な手間がかからず、操作性を向上させることができる。
【００６７】
また、本発明によれば、上述した第１の番組検索手段によって検索された番組を受信中に、上述した第２の番組検索手段による番組検索が行われて新たな番組が検出されたときに第１の番組検索手段による検索動作を中断する処理を検索制御手段によって行っており、その後第１の番組検索手段の検索結果に基づいて受信番組が切り替わってしまうことがなく、切り替わってしまった番組を元に戻す等の煩雑な操作が不要となって、操作性を向上させることができる。
【００６８】
また、本発明によれば、ウォッチモード検索に対応する第３の番組検索手段による検索結果に基づいて行った番組受信動作を検索受信取消手段によって取り消した際に、第３の番組検索手段による検索によって同じ内容の番組を検出した場合にこの検索結果に基づく番組受信動作を番組受信制限手段によって制限しており、同じ検索条件で同じ番組が受信されることを防止することができ、その都度受信番組を解除する等の煩雑な操作が不要であって操作性を向上させることができる。
【図面の簡単な説明】
【図１】本発明を適用した一実施形態のＤＡＢ受信機の構成を示す図である。
【図２】ＤＡＢ受信機で使用されるフレーム構造を示す図である。
【図３】サーチモード検索とウォッチモード検索を併用した場合の動作手順を示す図である。
【図４】サーチモード検索とウォッチモード検索を併用した場合の動作手順の変形例を示す図である。
【図５】ウォッチモード検索で検出したサービスがキャンセルされた場合の動作手順を示す図である。
【符号の説明】
１  ＤＡＢ受信機
４  フロントエンド部
６  ＤＡＢデコード部
８  オーディオデコード部
１６  制御部
１８  操作部
【図１】
0003779802.tif 000002
【図２】
0003779802.tif 000003
【図３】
0003779802.tif 000004
【図４】
0003779802.tif 000005
【図５】
0003779802.tif 000006